(57)【要約】着脱及び移動が可能な平板検出器（Ｐｏｒｔａｂｌｅ  Ｔｙｐｅ  Ｆｌａｔ  Ｐａｎｅｌ  Ｄｅｔｅｃｔｏｒ：以下、“電子カセット”と称する。）を提供し、電子カセットの記録情報をネットワークを通じてオンラインで送受信できるようにしたデジタルＸ線撮影装置が開示される。このデジタルＸ線撮影装置は、移動可能な電子カセットが着脱されるブッキートレーと、該ブッキートレーと通信で接続され、前記ブッキートレーに装着された電子カセットを識別し、前記識別した電子カセットの前処理ファイルをネットワークまたは移動保存装置を通じて保存装置からダウンロードしたり、前記多数の電子カセットにより生成されたファイルを前記保存装置に保存するワークステーションと、を含む。
2011521704.tif 000002
【特許請求の範囲】
【請求項１】
移動可能な電子カセットが着脱されるブッキートレーと、
多数の前記移動可能な電子カセットを識別し、前記ブッキートレーと通信で接続され、前記識別した電子カセットの前処理ファイルを制御するワークステーションと、
を含むことを特徴とする、デジタルエックス線撮影装置。
【請求項２】
前記ワークステーションは、
多数の電子カセットに対応する前処理ファイルを前記多数の電子カセットに適用させる前処理部と、
前記多数の電子カセットと通信のためのチャンネルを備え、撮影映像を獲得する通信及び映像獲得部と、
を含むことを特徴とする、請求項１に記載のデジタルエックス線撮影装置。
【請求項３】
前記前処理部は、前記多数の電子カセットに対応する前処理ファイルを備え、他の前処理部と通信を行うことができるネットワークを含むことを特徴とする、請求項２に記載のデジタルエックス線撮影装置。
【請求項４】
前記前処理部は、デジタルＸ線撮影装置に接続された電子カセットに適用される前処理ファイルを検索し、前記検索された前処理ファイルのうち、最近に適用された前処理ファイルをまず適用する機能を含むことを特徴とする、請求項３に記載のデジタルエックス線撮影装置。
【請求項５】
前記ワークステーションは、前記ネットワーク及び移動保存装置を通じて、前記ブッキートレーに装着される電子カセットの前処理ファイルを、他のデジタルＸ線撮影装置に備えられたワークステーションに転送することを特徴とする、請求項１に記載のデジタルエックス線撮影装置。
【請求項６】
前記ブッキートレーは、前記多数の電子カセットをデジタルＸ線撮影装置に使用する時に発生する混乱を防止するように、装着される電子カセットを識別する機能を含むことを特徴とする、請求項１に記載のデジタルエックス線撮影装置。
【請求項７】
前記ブッキートレーは、ユーザの不注意による電子カセットの破損を防止するための安全固定装置を含むことを特徴とする、請求項６に記載のデジタルエックス線撮影装置。
【請求項８】
前記安全固定装置は、前記電子カセットの正常な装着状態を把握するセンサーを含むことを特徴とする、請求項７に記載のデジタルエックス線撮影装置。
【請求項９】
前記ブッキートレーは、前記電子カセットを中心垂直線に一致させるために２個の移動固定装置を含むことを特徴とする、請求項７に記載のデジタルエックス線撮影装置。
【請求項１０】
前記移動固定装置は、前記電子カセットの装着状態を認識するセンサーを含むことを特徴とする、請求項９に記載のデジタルエックス線撮影装置。
【請求項１１】
前記移動固定装置は、前記電子カセットを安定で堅固に固定するための凸部材を含むことを特徴とする、請求項１０に記載のデジタルエックス線撮影装置。
【請求項１２】
前記ブッキートレーは、装着されている前記電子カセットのチャンネルを表すチャンネル表示部を含むことを特徴とする、請求項６に記載のデジタルエックス線撮影装置。
【請求項１３】
前記ブッキートレーは、装着されている電子カセットまたは映像板カセットまたはフィルムカセットの種類を区別し、その種類と大きさに応じて中心水平線を表示する位置表示部を含むことを特徴とする、請求項１２に記載のデジタルエックス線撮影装置。
【請求項１４】
前記ブッキートレーは、電子カセットに設けられた識別コードを読むためのコードリーダ機を含むことを特徴とする、請求項１３に記載のデジタルエックス線撮影装置。
【請求項１５】
前記ブッキートレーは、前記電子カセットに電源を供給するための電源供給部を含むことを特徴とする、請求項１４に記載のデジタルエックス線撮影装置。
【請求項１６】
前記ワークステーションは、前記電子カセットの誤装着、誤撮影位置、誤設定による撮影誤りによって患者被爆線量が増加することを防止する機能を含むことを特徴とする、請求項５に記載のデジタルエックス線撮影装置。
【請求項１７】
前記ワークステーションは、前記電子カセットの装着形態をセンサーを通じて確認し、前記センサーを用いて映像位置補正を行うことを特徴とする、請求項１６に記載のデジタルエックス線撮影装置。
【請求項１８】
前記電子カセットは、前記ワークステーションと接続されているチャンネルを表すチャンネル表示部を含むことを特徴とする、請求項１に記載のデジタルエックス線撮影装置。
【請求項１９】
前記電子カセットは、特定の電子カセット撮影を識別するための電子カセット選択スイッチを含むことを特徴とする、請求項１８に記載のデジタルエックス線撮影装置。
【請求項２０】
前記電子カセットは、識別のために少なくとも１つの識別コードを備えたことを特徴とする、請求項１８に記載のデジタルエックス線撮影装置。
【請求項２１】
前記電子カセットは、前記ブッキートレーから供給される電源を受けるための電源端子を含むことを特徴とする、請求項２０に記載のデジタルエックス線撮影装置。
【請求項２２】
前記電子カセットは、前記ブッキートレーの移動固定装置との堅固な固定のために少なくとも２つの凹部材を含むことを特徴とする、請求項２１に記載のデジタルエックス線撮影装置。
【発明の詳細な説明】
【技術分野】
【０００１】
本発明は、医療映像システムにおいてデジタルエックス線（Ｘ線）撮影装置に関するもので、特に、着脱及び移動が可能な平板検出器（Ｐｏｒｔａｂｌｅ  Ｔｙｐｅ  Ｆｌａｔ  Ｐａｎｅｌ  Ｄｅｔｅｃｔｏｒ：以下、“電子カセット”と称する。）を提供し、電子カセットの記録情報をネットワークを通じてオンラインまたはオフラインで送受信できるようにしたデジタルＸ線撮影装置に関するものである。
【背景技術】
【０００２】
一般に、医療診断用のＸ線撮影装置は、エックス線（Ｘ線）を人体に照射して、その透過されたＸ線のエネルギー強度分布差を検出する方式を用いるもので、該検出手段にはアナログ方式とデジタル方式とがある。
【０００３】
アナログ方式は、Ｘ線を受けると発光する増感紙（蛍光板）と銀塩フィルムとを組み合わせ、増感紙から発生した光で銀塩フィルム上に潜像を形成した後、この銀塩フィルムを化学処理することで可視像を得る方法のことをいう。この方法を用いるものには、増感紙及びフィルムを暗状態に保管して撮影に利用するフィルムカセットがある。
【０００４】
かかるアナログ方式は、フィルム及び現像過程において消耗的なコストが続けて発生する。また、１枚のフィルムが映像の獲得、ディスプレイ、保存、伝達媒体などの機能を全部担当しているため、細かなフィルム管理が必要とされ、フィルム管理の困難、管理費用の増加、紛失及び破損などの危険性が常に存在している他、現像過程で発生する廃液は環境親和的でないため、病院環境を阻害する原因とされ、また、現像にかかる時間の消費は患者の診療時間の遅延を招いており、よって、医療サービス環境の改善が至急に要望されている現状である。
【０００５】
デジタル方式は、Ｘ線に感応する検出媒体として２次元センサーを備え、該センサーから発生する微細電気的信号を２次元マトリクスを通じて得て、該微細信号を増幅する増幅回路、該増幅回路により増幅された信号をアナログ／デジタル変換器を通じてデジタル値に変換し、該デジタル変換値を画像データとした後、該画像データを最適の視覚化のために適切な映像処理過程を経てモニタまたはプリンタで表示する方式のことをいう。
【０００６】
この方法で映像を得る代表的な検出器には、映像板（Ｉｍａｇｅ  Ｐｌａｔｅ）を用いたＣＲ（Ｃｏｍｐｕｔｅｒ  Ｒａｄｉｏｇｒａｐｈｙ）とシンチレータ（Ｓｃｉｎｔｉｌｌａｔｏｒ）＋電荷結合素子（Ｃｈａｒｇｅ−Ｃｏｕｐｌｅｄ  Ｄｅｖｉｃｅ）を用いたＣＣＤ検出器、薄膜トランジスタ（Thin Film Transistor）を用いた平板検出器（Flat Panel Detector）などがある。最近では、映像の質や患者被爆線量の減少、検査効率性、装着の容易性などの点から、上記の検出器の中でも平板検出器を用いてデジタルＸ線映像を得る方式が多用されている。
【０００７】
理想的な平板検出器は、適正な線量レベルで高い空間分解能を呈し、コントラスト分解能が高くて良質の映像を提供するものでなければならない。また、時間分解能に優れており、１４×１７インチ（ｉｎｃｈ）以上の大面積へと映像化可能であり、２００μｍ以下の画素大きさを有し、横軸に２０００画素、縦軸に２０００画素以上のマトリクスを有するものでなければならない。一方、検出器そのものは、堅固で、半導体を使用し、その大きさが増感紙／フィルムカセットと同等であり、重さ及び性能が適切でなければならない。
【０００８】
臨床で使われている既存の平板検出器はこのような条件を概して満たしているが、大きさと重さの条件は満たしておらず、また、その使用のためにはテーブルブッキー（Ｂｕｃｋｙ）またはスタンドブッキー内に固定しなければならず、下記のような問題点が発生してきた。
【０００９】
第一、診断をするための特殊な撮影手法に制約がある。例えば、固定型平板検出器が閉鎖型のテーブルブッキーと閉鎖型のスタンドブッキー内に固定されているので、Ｘ線管口から発生するＸ線が上方から下方に照射されて患者を透過し、透過されたＸ線が閉鎖型テーブルブッキー中の固定型平板検出器に検出される。しかし、固定型平板検出器の移動制約は、水平方向撮影や軸側方向撮影をすることができないか、あるいは、患者が非常に不便な姿勢で撮影をされるため、診断的に価値のある映像を得るには限界がある。特に、重患者や急病患者はその状態が非常に悪いから移動型のベッドで撮影をしなければならないが、固定型平板検出器を使用するデジタルＸ線撮影装置では上記の患者達を撮影しにくいという不具合がある。
【００１０】
このような問題点を補完するためには、固定型平板検出器を使用する既存のデジタルＸ線装置は、必ず、映像板（Ｉｍａｇｅ  Ｐｌａｔｅ）を用いたＣＲ（Ｃｏｍｐｕｔｅｒ  Ｒａｄｉｏｇｒａｐｈｙ）装備を共に使用しなければならない。
【００１１】
映像板は、カセットという保護ケースに装着して使用するが、その形態及び重さが、フィルムと増感紙を装着して使用するカセットと非常に似ているため、既存のフィルム及び増感紙を使用してきたユーザには非常に馴染んでいるものである。そして、重さが１〜３Ｋｇ程度である点から、簡単な固定装置を用いて様々な撮影姿勢に適用することができる。この映像板は、撮影により発生した潜像（ｌａｔｅｎｔ  Ｉｍａｇｅ）を有しており、映像読取器（Ｉｍａｇｅ  Ｒｅａｄｅｒ）でその潜像を読み取り、アナログ／デジタル変換と映像処理（ｉｍａｇｅ  ｐｒｏｃｅｓｓｉｎｇ）を経て最終映像を得ることができる。しかし、映像板は、撮影回数による老化度を有するため、映像老化度の測定を行って入れ替えなければならない。
【００１２】
しかし、同一患者に対して平板検出器及び映像板で撮影をする場合、二つのデジタル映像を比較して診断することは非常に難しいことである。すなわち、２つの検出器はその特性と映像処理手法において異なっており、医師が映像を比較検討して読み取ることが容易でない。
【００１３】
第二、Ｘ線照射によって被写体から発生した散乱線を除去するための格子がブッキーに固定されているため、散乱線発生か少なくて格子を必要としい撮影法でも格子を使用しなければならないという問題がある。
【００１４】
この格子は、Ｘ線検出媒体に到達する散乱線を除去するためのもので、鉛箔板とアルミニウム（または、紙、カーボン等）から構成されている。この格子は、散乱線のみを除去するのではなく、正確な映像形成に必要な一次線まて除去することがある。格子がブッキーに固定されている場合は、格子を必要としない撮影法においても、格子を必ず使用しなければならず、この格子使用に伴う一次線の不足分だけ撮影条件が増加してしまい、患者への被爆線量増加とＸ線チューブの負荷増加を招く。このような点を改善するために、一部の装備では、格子を着脱可能な構造に設計したブッキーを提供することもある。
【００１５】
第三、上記固定型平板検出器はブッキー内に固定されているため、すべての検査映像が拡大（ｉＰｓ／Ｐｓ、Ｐｓ：被写体大きさ、ｉＰｓ：映像大きさ）される。
【００１６】
医療用の診断Ｘ線映像には、拡大のない正確な実測サイズの映像（Ｐｓ＝ｉＰｓ）が要求される。映像拡大を最小化するためには、Ｘ線焦点と患者との距離（Ｄｆｏ）を最大化し、患者と検出器との距離（Ｄｏｄ）を最小化しなければならない。テーブル撮影においてＸ線焦点と検出器との距離（Ｄｆｏｄ）は１００ｃｍと定義されており、拡大を最小化するためには患者と検出器との距離（Ｄｏｄ）を最小化しなければならないが、ブッキー内に固定型平板検出器が装着されているからその距離（Ｄｏｄ）を最小化するには限界がある。
【００１７】
第四、検出器の異常により入れ替えを行う場合、サービス完了まで時間がかかる。
【００１８】
装備使用中に固定型平板検出器の異常から使用が不可能になった場合、デジタルＸ線装置は使用が不可能であり、サービスエンジニアの訪問までの時間、検出器の脱離時間及び安定化時間、検出器の映像補正ファイル生成（キャリブレーション）時間などが必要とされ、高価のデジタルＸ線装置を長時間使用できなくなる。
【００１９】
最近では、固定型平板検出器を用いるデジタルＸ線撮影装置の問題点を改善する目的として、移動型平板検出器（以下、“電子カセット”と称する。）を用いるデジタルＸ線撮影装置が提案されている。この電子カセットは、移動性と操作性を考慮して小型化及び軽量化しなければならず、特に、既存の映像板カセットまたはフィルムカセットを使用するＸ線撮影装置にも適用するためには、特別な構造設計が要求される。
【００２０】
特に、電子カセットは、その自律性を保障するために無線データ転送方法を選択する必要があり、電源供給のための蓄電池がさらに必要とされ、自律性に伴う外部衝撃による破損を最小化するための特殊な構造とＸ線撮影装置のブッキーにおいて既存の映像板カセット及びフィルムカセットと互換して使用可能な特別な設計が必要とされる。このため、電子カセットの大きさ及び重さは増加し、特に撮影回数が多い場合は、蓄電池の容量を大きく設計しなければならず、よって、電子カセットの小型化及び軽量化には特化した構成及び構造が要求される。
【００２１】
しかも、既存に使用されてきた映像板カセットとフィルムカセットは、ブッキーに装着してＸ線検査を実行すると、映像板カセットの映像板とフィルムカセットのフィルムに潜像が記録され、当該カセットをブッキーから取り外した後に映像板リーダ機やフィルム現像機で当該潜像を読み取って画像を得るようになる。このため、映像板カセットとフィルムカセットは、Ｘ線検査の度にブッキーに着脱を反復しなければならないという不便さがあった。
【発明の概要】
【発明が解決しようとする課題】
【００２２】
本発明は上記の従来の固定型平板検出器を使用するデジタルＸ線撮影装置において発生する諸問題を解決するために提案されたもので、本発明が解決しようとする課題は、ブッキートレーに着脱が可能であり、移動可能な電子カセットを備えたデジタルＸ線撮影装置を提供することである。
【００２３】
本発明が解決しようとする他の課題は、多数の電子カセットを多数のデジタルＸ線撮影装置に実時間使用できるようにしたデジタルＸ線撮影装置を提供することである。
【００２４】
本発明が解決しようとするさらに他の課題は、多数の電子カセットをデジタルＸ線撮影装置に使用する際に、その混乱を防止し、自動化を極大化させたデジタルＸ線撮影装置を提供することである。
【００２５】
本発明が解決しようとするさらに他の課題は、電子カセットを堅固で安定的に固定するためのブッキートレーの構造を有するデジタルＸ線撮影装置を提供することである。
【００２６】
本発明が解決しようとするさらに他の課題は、ブッキートレーで映像板カセットまたはフィルムカセットを共に使用することができる固定装置を備えたデジタルＸ線撮影装置を提供することである。
【００２７】
本発明が解決しようとするさらに他の課題は、ブッキートレーに装着された電子カセットのＩＤ及び装着状態を把握するＩＤリーダ機を備えたデジタルＸ線撮影装置を提供することである。
【００２８】
本発明が解決しようとするさらに他の課題は、無線で接続された電子カセットへの電源供給をブッキートレーから提供できるようにしたデジタルＸ線撮影装置を提供することである。
【００２９】
本発明が解決しようとするさらに他の課題は、電子カセットの誤装着、誤撮影位置、誤設定によるＸ線の発生を防止し、余計な患者被爆線量増加を防止するようにしたデジタルＸ線撮影装置を提供することである。
【００３０】
本発明が解決しようとするさらに他の課題は、電子カセット枠に２個以上の凹溝を形成して、電子カセットをブッキートレーに安定的で堅固に固定できるようにしたデジタルＸ線撮影装置を提供することである。
【００３１】
本発明が解決しようとするさらに他の課題は、電子カセットにワークステーションと連結されているチャンネルを表すようにしたデジタルＸ線撮影装置を提供することである。
【００３２】
本発明が解決しようとするさらに他の課題は、ＩＤチップ（バーコード等）を用いてデジタルＸ線撮影装置で多数の電子カセットを把握できるようにしたデジタルＸ線撮影装置を提供することである。
【００３３】
本発明が解決しようとするさらに他の課題は、電子カセット選択スイッチを用いて多数の電子カセットの中から選択された電子カセットで撮影できるようにしたデジタルＸ線撮影装置を提供することである。
【００３４】
本発明が解決しようとするさらに他の課題は、ブッキートレーまたは保管装置から電子カセットへ駆動用の電源を供給できるようにしたデジタルＸ線撮影装置を提供することである。
【課題を解決するための手段】
【００３５】
上記の課題を解決するための本発明に係るデジタルＸ線撮影装置は、移動可能な電子カセットが着脱されるブッキートレーと、多数の前記移動可能な電子カセットを識別し、前記ブッキートレーと通信で接続され、前記識別した電子カセットの前処理ファイルを制御するワークステーションと、を含むことを特徴とする。
【００３６】
好適には、前記ワークステーションは、多数の電子カセットに対応する前処理ファイルを前記多数の電子カセットに適用させる前処理部と、前記多数の電子カセットと通信のためのチャンネルを備え、撮影映像を獲得する通信及び映像獲得部と、を含むことを特徴とする。
【００３７】
より好適には、本発明に係るデジタルＸ線撮影装置は、前記ワークステーションが、前記ネットワーク及び移動保存装置を通じて、前記ブッキートレーに装着される電子カセットの前処理ファイルを、他のデジタルＸ線撮影装置に備えられたワークステーションに転送することを特徴とする。
【００３８】
より好適には、前記ブッキートレーは、前記多数の電子カセットをデジタルＸ線撮影装置に使用する時に発生する混乱を防止するように、装着される電子カセットを識別する機能を含むことを特徴とする。
【００３９】
より好適には、前記ブッキートレーは、ユーザの不注意による電子カセットの破損を防止するための安全固定装置を含むことを特徴とする。
【００４０】
より好適には、前記安全固定装置は、前記電子カセットの正常な装着状態を把握するセンサーを含むことを特徴とする。
【００４１】
より好適には、前記ブッキートレーは、前記電子カセットを中心垂直線に一致させるために２個の移動固定装置を備えることを特徴とする。
【００４２】
より好適には、前記移動固定装置は、前記電子カセットの装着状態を認識するセンサーを含むことを特徴とする。
【００４３】
より好適には、前記移動固定装置は、前記電子カセットを安定で堅固に固定するための凸部材を含むことを特徴とする。
【００４４】
より好適には、前記ブッキートレーは、装着されている前記電子カセットのチャンネルを表すチャンネル表示部を含むことを特徴とする。
【００４５】
より好適には、前記ブッキートレーは、装着されている電子カセットまたは映像板カセットまたはフィルムカセットの種類を区別し、その種類と大きさに応じて中心水平線を表示する位置表示部を含むことを特徴とする。
【００４６】
より好適には、前記ブッキートレーは、電子カセットのＩＤチップを読むためのＩＤチップリーダ機を含むことを特徴とする。
【００４７】
より好適には、前記ブッキートレーは、前記電子カセットに電源を供給するための電源供給部を含むことを特徴とする。
【００４８】
より好適には、本発明に係るデジタルＸ線撮影装置は、前記電子カセットの誤装着、誤撮影位置、誤設定による撮影誤りによって患者被爆線量が増加することを防止する機能を含むことを特徴とする。
【００４９】
より好適には、前記電子カセットは、前記ワークステーションと接続されているチャンネルを表すチャンネル表示部を含むことを特徴とする。
【００５０】
より好適には、前記電子カセットは、識別のために少なくとも一つのＩＤチップを備えたことを特徴とする。
【００５１】
より好適には、前記電子カセットは、多数の電子カセットの中から選択された電子カセットで撮影できるようにする電子カセット選択スイッチを備えることを特徴とする。
【００５２】
より好適には、前記電子カセットは、前記ブッキートレーから供給される電源を受けるための電源端子を含むことを特徴とする。
【発明の効果】
【００５３】
本発明によるデジタルＸ線撮影装置は、固定型平板検出器の代わりに電子カセットを使用するため、様々なＸ線撮影手法が可能になり、患者の被爆線量を最小化し、余計な映像の拡大を防止することができる他、急病患者や重患者の動きを最小化できるため自由に撮影位置を選択することができる。
【００５４】
また、電子カセットを互換可能なデジタルＸ線撮影装置に操作者が実時間で着脱することができ、高価の電子カセットを最小の数量のみ使用することができ、使用効率を最大化することができる。
【００５５】
また、電子カセットにチャンネル表示部があり、同一の電子カセットの使用による操作者の混同を最小化することができる。
【００５６】
また、電子カセット選択スイッチを設けたため、デジタルＸ線撮影装置に利用される多数の電子カセットのうち、選択された電子カセットで撮影することができる。
【００５７】
また、ブッキートレーに大面積電子カセット、小面積電子カセット、映像板カセット、フィルムカセットを自由に装着できるので、Ｘ線撮影装置の使用効率を向上させることができる。
【００５８】
また、ブッキートレーで装着されている電子カセットのＩＤチップを読み、その装着状態を実時間で認識することによって、それによる自動化を極大化し、装着状態が正常でない場合は、Ｘ線発生を防ぎ、患者への不要な被爆線量を減らすことができる。
【００５９】
また、ブッキートレーから電子カセットの電源を供給することによって、電子カセットの蓄電池の容量を小さくし、電子カセットの軽量化を図ることができ、操作者が電子カセットを充電するために電子カセットの電源供給装置に別に連結しなくて済むため、便利性を提供することができる。
【図面の簡単な説明】
【００６０】
【図１】本発明による電子カセットを用いるデジタルＸ線撮影装置の概念図である。
【図２】本発明による電子カセットを用いるデジタルＸ線撮影装置の活用図である。
【図３】本発明による電子カセットの映像前処理過程を示すフローチャートである。
【図４】電子カセットをデジタルＸ線撮影装置にローディングする順序図である。
【図５】（ａ）は、大面積電子カセットの正面図であり、（ｂ）は、大面積カセットの背面図である。
【図６】（ａ）は小面積電子カセットの正面図であり、（ｂ）は、小面積電子カセットの背面図である。
【図７】ブッキートレーの構造図である。
【図８】（ａ）は、大面積電子カセットをブッキートレーに逆方向垂直装着した状態図であり、（ｂ）は、大面積電子カセットをブッキートレーに順方向垂直装着した状態図であり、（ｃ）は、大面積電子カセットをブッキートレーに逆方向水平装着した状態図である。
【図９】小面積電子カセットをブッキートレーに装着した状態図である。
【図１０】（ａ）は、１０×１２インチ映像板カセットをブッキートレーに垂直装着した状態図であり、（ｂ）は、１４×１４インチ映像板カセットをブッキートレーに垂直装着した状態図である。
【図１１】（ａ）は、大面積電子カセットをブッキートレーに逆方向垂直装着した状態図であり、（ｂ）は、大面積電子カセットをブッキートレーに順方向垂直装着した状態図である。
【図１２】（ａ）は、ブッキーに大面積カセットが水平装着された状態図であり、（ｂ）は、ブッキーに１０×１２映像板カセットが水平装着された状態図である。
【図１３】（ａ）は、大面積電子カセット装着過程を示す図であり、（ｂ）は、大面積電子カセットの装着状態図であり、（ｃ）は、大面積電子カセットの装着断面図である。
【図１４】（ａ）は、移動型固定装置に電子カセットが固定された断面図であり、（ｂ）は、移動型固定装置に映像板カセットが固定された断面図である。
【図１５】（ａ）は、安全固定装置に電子カセットが固定された断面図であり、（ｂ）は、安全固定装置に映像板カセットが固定された断面図である。
【図１６】ブッキートレー装着状態による映像自動補正過程を示す例示図である。
【図１７】電子カセットを用いるデジタルＸ線撮影装置の斜視図である。
【図１８】固定型平板検出器を用いるデジタルＸ線撮影装置の斜視図である。
【図１９】ブッキーを用いる撮影状態を示す断面図である。
【発明を実施するための形態】
【００６１】
以下、本発明の好適な実施例を、添付の図面に基づいて詳細に説明する。下記の説明において、関連する公知機能や構成についての具体的な説明が本発明の要旨を曖昧にさせると判断される場合にはその詳細な説明を適宜省略する。
【００６２】
図１は、電子カセットを用いるデジタルＸ線撮影装置を示す概念図であり、ワークステーション１０１、モニタ２５１、Ｘ線発生及びブッキー制御部１２１、テーブル５３１、テーブルブッキー５２１、スタンドブッキー５０１、電子カセット保管装置５９５１、電子カセット３１１１，３２１１で構成されている。
【００６３】
ワークステーション１０１には、Ｘ線発生及びブッキー制御部１２１、通信及び映像獲得部１３１、前処理部１４１、応用プログラム提供部１１１を含む。ワークステーション１０１は、当該デジタルＸ線撮影装置の全般を制御する。
【００６４】
Ｘ線発生及びブッキー制御部１２１は、Ｘ線発生装置２１１及びブッキー５０１，５２１を制御し、応用プログラム提供部１１１及び通信及び映像獲得部１３１と互いに連動する。
【００６５】
通信及び映像獲得部１３１は、ワークステーション１０１に連結される電子カセットのチャンネルを決定し、連結された電子カセットを多重制御し、映像を獲得する一連の過程を行う。ここで、連結可能なチャンネル数は２以上である。特に、電子カセットと連結する通信方法は、有線１３１５，１３１６または無線１３１７、１３１８とすることができる。
【００６６】
前処理部１４１は、移動平板検出器３１１１，３２１１，３３２１に該当する補正ファイル３１１２，３２１２，３３１２を管理及び適用する役割の他に、前処理部１４２，１４３を含む第２デジタルＸ線撮影装置Ｂと移動型デジタルＸ線撮影装置Ｃが含む補正ファイル３１２２，３２２２，３３２２と３１３２，３２３２，３３３２を探索及び適用する役割を果たす。
【００６７】
応用プログラム提供部１１１では、患者及び検査情報を、映像獲得及び転送システム（ＰＡＣＳ）２７０を通じて照会及び適用したり手動で直接入力したりし、前処理過程（Ｐｒｅ−ｐｒｏｃｅｓｓｉｎｇ）を通じてきれいになった映像（Ｃｌｅａｎ  Ｉｍａｇｅ）ＣＩ０１に基づいて後処理過程（Ｐｏｓｔ−ｐｒｏｃｅｓｓｉｎｇ）１１１１を行い、最適化された映像（Ｏｐｔｉｍｉｚｅｄ  ｉｍａｇｅ）１１１２を生成し、該最適化された映像をデータベースに保存し、映像獲得及び転送システム２７０に転送する役割を果たす。
【００６８】
上記患者及び検査情報においてそれぞれ検査を正確にするための検査方法と装備の設定は非常に多様で複雑なので、獲得された映像の診断的価値は、操作者の熟練度にしたがって大差を示す。したがって、常に同一の映像を獲得するためには、当該患者及び検査情報に応じて装備の設定が自動で設定される必要がある。したがって、応用プログラム提供部１１１は、撮影条件の自動設定、ブッキーの自動設定、検出器の自動設定などの役目を果たし、電子カセットの装着状態表示と誤設定による警告メッセージ発生などを含む構成装置の総括的な制御機能をグラフィックユーザインターフェース（Ｇｒａｐｈｉｃ  Ｕｓｅｒ  Ｉｎｔｅｒｆａｃｅ）で行う。
【００６９】
図２は、本発明で電子カセットの使用状態を示す図で、第１デジタルＸ線撮影装置Ａ、第２デジタルＸ線撮影装置Ｂ、移動型デジタルＸ線撮影装置Ｃの３つのデジタルＸ線撮影装置に電子カセット３個を使用する。第１デジタルＸ線装置Ａは、２個の電子カセット３１１１，３２１１を使用する撮影装置である。
【００７０】
この撮影装置は、大面積電子カセット３１１１と小面積電子カセット３２１１のような２種類の電子カセットで構成されている。大面積電子カセット３１１１，３３１１は、検出面積が１４×１７"（インチ）になっており、小面積電子カセット３２１１は、検出面積が１０×１２インチになっている。電子カセットを大面積と小面積に区別する理由は、Ｘ線撮影検査の種類とその方法が多様であり、大面積のカセットは腹部、胸部、脊椎などに活用度が高く、小面積電子カセットは、四肢、屈曲があったり位置付けがし難い特殊な撮影法を要求する部位の検査に活用度が高いという点を考慮し、Ｘ線撮影検査の効率を高めるためである。
【００７１】
第２デジタルＸ線装置Ｂは、胸部専用装置である。この装備は、病室及び外来患者または健康検診者の胸部検査専用装置であり、この検査は、午前に大部分行われ、午後及び夜間には行われないという特徴がある。したがって、検査の行われない午後及び夜間には、第２デジタルＸ線装置Ｂの電子カセット３３２１を第１デジタルＸ線装置ＡのＣｈ３（１３１３）に装着して使用したり、移動型デジタルＸ線撮影装置Ｃに装着して使用することができる。
【００７２】
移動型デジタルＸ線撮影装置Ｃは、急病室や重患者室の患者が撮影室まで移動できない場合、Ｘ線撮影装置を患者のある病室に移動させて撮影をするためのものである。この装備は、検査要請は頻繁であるが、検査量は多くないことが特徴である。第１デジタルＸ線撮影装置から電子カーセット３１１１，３２１１，３３１１を取り外し、該取り外された電子カセットを移動型デジタルＸ線撮影装置Ｃに装着し、急病室及び重患者室で検査をすることができる。この検査が完了すると、電子カセットは移動型デジタルＸ線撮影装置Ｃから取り外し、第１デジタルＸ線撮影装置に再び装着して使用する。
【００７３】
このように、３個の電子カセットを３個のデジタルＸ線装置Ａ、Ｂ、Ｃで使用することによって、高価の移動平板検出器の活用度を高めることができる。もし、検査の項目が単純なため、大面積の移動型平板検出器により全検査が容易にできると、小面積移動平板検出器は不要であり、よって、この場合には、２個の大面積電子カセット３１１１，３３２１を３個のデジタルＸ線装置Ａ、Ｂ、Ｃで活用することができる。
【００７４】
図３は、本発明による電子カセットの映像前処理過程を示す図である。電子カセットは、その特性の上欠陥画素があり、きれいで正確な映像を得るためには、当該欠陥画素を修正する補正ファイル（Ｃｏｒｒｅｃｔｉｏｎ  ｆｉｌｅ、ＭＣ０１）３１１２が必要とされる。この補正ファイルは、電子カセットのキャリブレーション１９１という過程を通じて得られるが、その具体的な方法は、電子カセットメーカで提供する一般的な方法としている。この時に得られるファイルには、オフセット補正ファイル（Ｏｆｆｓｅｔ  ｍａｐ  ｆｉｌｅ、ＭＯＭ０１）、利得補正ファイル（Ｇａｉｎ  Ｍａｐ  ｆｉｌｅ、ＭＧＭ０１）、欠陥補正ファイル（Ｄｅｆｅｃｔ  Ｍａｐ  ｆｉｌｅ、ＭＤＭ０１）、その他補正ファイル（Ｏｔｈｅｒ  Ｍａｐ  ｆｉｌｅ、ＭＴＭ０１）がある。このような補正ファイルは、原本映像（Ｒａｗ  ｉｍａｇｅ、ＭＲ０１）をきれいな映像（ＣＩ０１）とするのに必要とされ、補正ファイル（ＭＣ０１）３１１２は実時間で修正（ｕｐｄａｔｅ）されなければならない。これは、撮影回数、照射線量、周辺温度変化などによって電子カセットのオフセット（Ｏｆｆｓｅｔ）と欠陥画素の特性が実時間で変化しているからである。したがって、最適のきれいな映像（ＣＩ０１）を得るためには、補正ファイル（ＭＣ０１）３１１２を必ず実時間で修正しなければならない。このような役割を前処理部１４１で果たす。
【００７５】
もし、第１デジタルＸ線撮影装置Ａの電子カセット３１１１を互換可能な他の装備Ｂ、Ｃに使用したいとすれば、下記の２条件を満たさなければならない。
【００７６】
その第一は、固有番号の合う電子カセット（ＭＤ０１）３１１１の補正ファイル（ＭＣ０１）３１１２が、他の装備Ｂ、Ｃに適用されなければならない。電子カセットの状態に従って補正ファイルのオフセット及び欠陥画素が実時間で変化しているため、最近に修正された補正ファイルが適用しなければならないわけである。
【００７７】
第二は、電子カセットの電源が持続して供給されなければならない。電源が遮断されてから一定時間後に電源が供給されると、電子カセット３１１１のオフセットには急激な変化が生じる。この時、電子カセットに発生したオフセットと欠陥画素は、前処理部１４１，１４２，１４３に保存されているオフセット補正ファイル（ＭＯＣ０１）及び欠陥補正ファイル（ＭＤＣ０１）とかなり異なってくる。したがって、この時、原本映像（ＭＲ０１）を獲得し、前処理部で前処理１５１を行うと、最適のきれいな映像（ＣＩ０１）の獲得は保障できなくなる。
【００７８】
デジタルＸ線撮影装置Ａ、Ｂ、Ｃのワークステーションは、多数の電子カセットの前処理ファイルを多数のデジタルＸ線撮影装置に適用できる前処理部１４１，１４２，１４３を含み、電子カセット３１１１，３２１１は蓄電池３０４８，３２４８を含んでいる。第１デジタルＸ線撮影装置Ａで使用している電子カセット３１１１を取り外し、第２デジタルＸ線撮影装置Ｂに装着して使用する時、上記の２通りの条件を満たさなければならないが、ロジック１４１，１４２，１４３はネットワークで前処理ファイルを互いに共有しており、電子カセット３１１１を第２デジタルＸ線撮影装置Ｂに装着する時、第２デジタルＸ線撮影装置Ｂのロジック１４２は、最近に適用された電子カセット３１１１の前処理ファイル３１１２を、第１デジタルＸ線撮影装置Ａのロジック１４１から検索し、検索された前処理ファイル３１１２を、第２デジタルＸ線撮影装置Ｂのロジック１４２の前処理ファイル３１２２（ＭＣ０１Ｂ）に適用する。このような方法で、最近に修正された前処理ファイルを適用することができる。そして、電子カセット３１１２の蓄電池３０４８は、該電子カセットが第１デジタルＸ線撮影装置Ａから取り外されて、第２デジタルＸ線撮影装置Ｂに装着されるまでの間に電源が遮断されることを防止する。
【００７９】
図４は、本発明による補正ファイル検索過程を示す図である。電子カセット３１１１がブッキー５０１，５２１または保管装置５９５１，５９５３に装着（Ｓ８１０）されると、電子カセット３１１１の固有番号ＭＤ０１は電子カセット３１１１の背面の電子式ＩＤチップ６５１，６５２，６５３に記憶されており、該電子式ＩＤチップ６５１，６５２，６５３に記憶されている固有番号を、ブッキートレー５１００に装着されているＩＤチップリーダ機５０６１、または電子カセット保管装置５９５１，５９５３に装着されているＩＤチップリーダ機５９６１，５９５３で認識して（Ｓ８２０）、Ｘ線発生及びブッキー制御部１２１に伝達する。ここで、電子式ＩＤチップの代わりに、バーコードを用いることもでき、バーコードの利用時には、ＩＤチップリーダ機の代わりに、バーコートリーダ機を使用すると良い。また、バーコード以外に、装置を識別するための他の方法を使用する場合は、リーダ機またはそれに対応するリーダ機を使用すれば良い。すなわち、ＩＤチップ、バーコードなどを識別コードとすることができ、これら識別コードを読み取る装備をコードリーダ機とすることができる。
【００８０】
Ｘ線発生及びブッキー制御部１２１は、電子カセットの固有番号を、通信及び映像獲得部１３１と応用プログラム提供部１１１に伝達する。通信及び映像獲得部１３１は、電子カセット３１１１の連結状態を確認する。有線で連結（Ｓ８４０）されるとその連結された有線１３１５，１３１６によってチャンネルＣｈ１，Ｃｈ２，Ｃｈ３が決定（Ｓ８３３）され、無線で連結（Ｓ８３０）されると無線１３１４によって自動でチャンネルＣｈ１、Ｃｈ２、Ｃｈ３が決定（Ｓ８３１）され、ブッキートレーの電源供給部から電子カセットに電源を供給する（Ｓ８３２）。
【００８１】
前処理部１４１では、電子カセット３１１１の連結されたチャンネル１３１１と固有番号（ＭＤ０１）を把握し、それに該当する補正ファイル（ＭＣ０１）３１１２の有無を確認する。補正ファイルがあると（Ｓ８５１）、確認及び適用（Ｓ８６１）して、撮影準備を完了する（Ｓ８６２）。もし、システムにおいて補正ファイル（ＭＣ０１）３１１が前処理部１４１にないと（Ｓ８５２）、他のシステムの前処理部１４２または移動保存装置２６０に保存されている補正ファイル（ＭＣ０１Ｂ、ＭＣ０１Ｃ）３１２２，３１３２を検索し、なかでも、最近に適用された補正ファイルを検索及び適用（Ｓ８６１）し、撮影準備を完了する（Ｓ８６２）。しかし、適用できる補正ファイルが検索されないと（Ｓ８５６）、補正ファイル生成を要請（Ｓ８５３）し、終了する。
【００８２】
図５は、大面積電子カセット３１１１の前面図及び背面図であり、図６は、小面積電子カセット３２１１の前面図及び背面図である。該大面積電子カセットは、１４×１７インチの検出面積を有しており、小面積電子カセットは、１０×１２インチの検出面積を有している。この電子カセット（以下、大面積電子カセット及び小面積電子カセットの大きさを区別する必要がない場合は、電子カセットと総称する。）の前面の表面には、方向を示す方向表示器３０４３，３２４３、中心垂直線３０４１，３２４１、中心水平線３０４２，３２４２が構成されており、検出器の枠には、外部衝撃を吸収する衝撃吸収部３０４４，３２４４とブッキートレーへのに安全で堅固な固定のための固定溝３０５１〜３０５６，３２５１，３２５２が設けられており、取っ手部分には、電源を供給する蓄電池３０４８、連結チャンネル及び準備状態を表示するチャンネル表示部３０４５，３２４５が設けられており、そして、移動便利性を提供する取っ手３０４６，３２４６が構成されている。ここで、チャンネル表示部３０４６，３２４６は、多数の電子カセットのうち、特定の電子カセットを選択するための電子カセット選択スイッチ３０４５ａ，３４４５ａを含む。そして、背面には、電子式ＩＤチップ３０６１〜３０６３，３２６１と電源端子部３０７０，３０８０，３０９０，３２７０が構成されている。
【００８３】
この移動平板検出器の方向表示器３０４３，３２４３は、獲得される映像の方向を定義するもので、矢印方向を常に上方に設定（７１１）して映像を獲得すると、正しい映像７２１が獲得される。中心垂直線３０４１，３２４１、中心水平線３０４２，３２４２は、電子カセットの中心を案内する役割を果たす。
【００８４】
この大面積電子カセットの枠には６個の固定溝３０５１〜３０５６が形成される。固定溝は、当該電子カセットをブッキートレー５１００に安全で堅固に固定させる役割を果たす。
【００８５】
図７は、ブッキートレーの詳細構成図であり、図８は、大面積電子カセットがブッキートレーに装着される形態を示す図である。大面積電子カセットがいかなる形態で装着される状態でも堅固に固定されるように、中心水平線３０４１を基準に上段左右側に２個の固定溝３０５１，３０５２、下段左右側に２個の固定溝３０５３，３０５４が、中心垂直線３０４２を基準に左側上下端に２個の固定溝３０５５，３０６５が形成されている。上段左右側の２個の固定溝３０５１，３０５２は、大面積電子カセット３１１１が固定装置に対して逆方向垂直装着である時（図１１の（ａ））、固定部５２３０，５２４０にかみ合って固定される。下段左右側の２個の固定溝３０５３，３０５４は、移動平板検出器３１１１が順方向垂直装着である時（図１１の（ｂ））、固定部５２３０，５２４０にかみ合って固定される。左側上下端の固定溝３０５５，３０５６は、移動平板検出器３１１１が固定装置に順方向または逆方向水平装着である時（図８の（ｃ））、固定部５２３０，５２４０にかみ合って固定される。固定部材３０３１の厚さは、既存の映像板カセットとフィルムカセットの厚さ（約１０ｍｍ）と同じ厚さを有する。
【００８６】
小面積電子カセット３２１１は、枠に２個の固定溝３２５１，３２５２を有している。これらの固定溝は、ブッキートレーへの安全で堅固な固定のためのものである。
【００８７】
図９は、小面積電子カセットがブッキートレーに装着される形態を示す図である。小面積電子カセットは、ブッキートレーへの堅固な固定のために、水平中心線３２４２を基準に上段左右側に２個の固定溝３２５１，３２５２を有する。
【００８８】
この小面積電子カセットは、大面積検出器と違い、固定溝が２個で済む。これは、その大きさが小型であり、ブッキートレー５１００の装着形態による検査方法の制限がないため、ブッキートレーに単一の形態で固定して良いためである。
【００８９】
電子カセット３１１１，３２１１には、電源を供給する蓄電池３０４８，３２４８を含んでおり、電子カセット３１１１，３２１１に動作電源を供給する。
【００９０】
電子カセットが無線１３１４でワークステーション１０１に接続されると、電子カセットの電源供給が蓄電池３０４８，３２４８から行われる。蓄電池への充電電源は、ブッキートレー５１００の電源供給部５０６１と電子カセット保管装置５９５１，５９５３の電源供給部５９６１，５９６３から供給される。電子カセットは、ブッキートレーから電源供給を受けるから、電子カセットがブッキーに装着されて連続して検査が実行される時に、蓄電池の容量限界による連続検査への制限がない。
【００９１】
電子カセットが有線１３１５，１３１６でワークステーション１０１に接続されると、電子カセットの電源供給は、有線を通じて行われる。電子カセットは有線で供給される電源を動作電源として直接使用せずに、蓄電池３０４８の充電電源としてのみ使用する。これは、互換可能なデジタルＸ線装置Ｂ、Ｃに電子カセットを装着する際に、有線が分離されながら一時的に動作電源の供給が遮断されることを防止し、かつ、有線の連結部品の接触不良による不安定な電源供給によって誤動作及び電源遮断が発生することを防止するためである。
【００９２】
電子カセットのチャンネル表示部３０４５，３２４５は、電子カセットがワークステーション１０１に現在連結されているチャンネルを表示する。デジタルＸ線撮影装置において２個以上の電子カセットを装着して使用する時、ユーザは、映像獲得のために、選択した電子カセットを正確に見分ける必要がある。そうでないと、ユーザは、検査準備を１番電子カセット３１１１に対して行い、映像獲得を２番電子カセット３２１１に対して行う場合が生じ、結果として、正確な映像を獲得できずに患者被爆のみを起こすという誤りを招く。この誤りを防止するためにはユーザが電子カセットを容易で便利に区別しなければならないが、その方法の一つが、電子カセットが現在連結されているチャンネルを電子カセットに表示することである。そして、電子カセットのチャンネル表示部３０４５，３２４５は、電子カセット選択スイッチ３０４５ａ，３４４５ａを含む。電子カセット選択スイッチは、ユーザが約２秒間閉じていると、その電子カセットが撮影に用いられることをワークステーションに伝達する。ユーザが撮影室に置かれている多数の電子カセットを使用するに当たって、それぞれの電子カセットを正確に区別して撮影しなければならない。しかし、救急患者や重患者を撮影するだけに、熟練するまでは電子カセットの正確な区別がし難く、誤撮影につながることがある。これを防止するために、ユーザは、患者の位置付けをする途中に、電子カセット選択スイッチを選択して確認することによって、撮影に用いられている電子カセットを正確に区別し、ワークステーションに知らせて映像を獲得することによって、撮影の誤りを最小化することができる。これは、多数の電子カセットで撮影する時、多数の電子カセットの中から選択された電子カセットが正確に撮影に用いられるようにすることによって、混同を防止し、正確な撮影を可能にする機能を果たす。
【００９３】
チャンネル表示器３０４５は、電子カセット３１１１，３２１１のチャンネルを表示する他、検査準備状態も表示する。電子カセット３１１１，３２１１がデジタルＸ線撮影装置においてチャンネルで連結されていないと、チャンネル表示器３０４５，３２４５は消えてある状態であり、チャンネルで連結されて、補正ファイルを検索して適用されている検査待機段階は、チャンネル表示器３０４５，３２４５で点滅により表示され、検査のために該当のチャンネルが選択され、全ての検査準備状態が完了すると、チャンネル表示器３０４５，３２４５は持続して点灯状態で表示され、ユーザがその準備状態を把握することができる。
【００９４】
応用プログラム提供部１１１は、電子カセット３１１１，３２１１のチャンネルを定義し、そのチャンネルを、電子カセットのチャンネル表示器３０４５，３２４５、ブッキートレーのチャンネル表示器５６３９，５７３９及びディスプレイモニタ２５１に表示する。チャンネル表示は、１番チャンネルは青色、２番チャンネルは緑色、３番チャンネルは黄色で表示して可読性を高め、チャンネルがさらに必要な場合は、チャンネルとそのチャンネルに該当する色相を別に定義する。
【００９５】
電子カセットの背面には、ＩＤチップ３０６１，３０６２，３０６３，３２６１が設けられる。これらのＩＤチップは、電子カセットの固有番号とそれぞれの位置情報が保存されている。ＩＤチップは、ブッキートレーまたは保管装置において当該電子カセットを把握するのに用いられる。
【００９６】
デジタルＸ線撮影装置で多数の電子カセットを使用する場合、ユーザは、検査目的に応じてブッキー選択（スタンドブッキー、テーブルブッキー、ブッキー不使用）をし、使用しようとする電子カセットを選択しなければならない。もし、検査のためにスタンドブッキーを選択し、テーブルブッキーに装着されている電子カセットを選択した場合、Ｘ線はスタンドブッキーに照射され、映像はテーブルブッキーに装着されている電子カセットから得ることになり、検査誤りとされる。スタンドブッキーに装着されている電子カセットを把握し、その連結されているチャンネルを把握できるとすれば、該スタンドブッキーを選択することによって、装着されている電子カセットも自動で選択され、上記の誤りを防止することができる。
【００９７】
ブッキー５０１，５２１と保管装置５９５１，５９５３で装着されている電子カセットを把握するために、これらブッキーと保管装置は、ＩＤチップリーダ機５０６１，５９６１，５９６３を含んでいる。小面積電子カセット３２１１がスタンドブッキー５０１に装着されると、ＩＤチップリーダ機５０６１は、装着された小面積電子カセット３２１１のＩＤチップ３２６１の固有番号ＭＤ０２を読み、該固有番号を、Ｘ線発生及びブッキー制御部１２１に伝達し、該Ｘ線発生及びブッキー制御部は、当該固有番号を応用プログラム提供部１１１に伝達し、該応用プログラム提供部は、当該固有番号に該当するチャンネル情報を通信及び映像獲得部１３１に要請し、該通信及び映像獲得部は、当該固有番号に連結されている電子カセットのチャンネル情報１３１２を確認して応用プログラム提供部に伝達し、応用プログラム提供部は、当該チャンネル情報を記録した後にＸ線発生及びブッキー制御部に伝達し、Ｘ線発生及びブッキー制御部は、チャンネル情報をチャンネル表示装置５６３９，５７３０に表示する。ユーザがスタンドブッキー５０１を選択すると、応用プログラム提供部は、記録されたチャンネル情報を参照して、当該スタンドブッキーに装着された電子カセット３２１１を自動で選択する。
【００９８】
大面積電子カセット３１１１は、３個のＩＤチップを含んでいる。この大面積電子カセットは、１４Ｘ１７インチと検出面積が広く、一側辺には移動の便利性のための取っ手３０４６が設けられている。
【００９９】
大面積電子カセットにＩＤチップが３個設けられる理由は、大面積電子カセットがブッキートレーに装着される形態が３通りであるからである。
【０１００】
図１１は、スタンドブッキー５０１にブッキートレー５１００を両方向から装着する様子を示しており、図８は、ブッキートレーに大面積電子カセットを装着する様子を示している。ブッキートレーが右側挿入（図１１の（ａ））される場合、電子カセットの順方向垂直装着（図８の（ｂ））が困難とされる。これは、取っ手がブッキー右側ケース５５４と干渉するためである。また、ブッキートレーが左側挿入（図１１の（ｂ））される場合、電子カセットは逆方向垂直装着（図８の（ａ））が困難とされる。これは、取っ手がブッキー左側ケース５５５と干渉するためである。したがって、ブッキートレーの両方向挿入が可能なブッキー５０１とすれば、大面積電子カセットを、図８に示す３つの形態に装着することができる。３つの形態のいずれにおいても、ブッキートレーで装着される電子カセットの固有番号は把握されなければならない。このために、電子カセットの背面においてはブッキートレーのＩＤチップリーダ機５０６１に対応する位置にＩＤチップ３０６１，３０６２，３０６３がそれぞれ設けられている。逆方向垂直装着（図８の（ａ））の場合は上段ＩＤチップ３０６１が対応し、順方向垂直装着（図８の（ｂ））の場合は下段ＩＤチップ３０６３が対応し、水平装着（図８の（ｃ））の場合は中間ＩＤチップ３０６２が対応する。
【０１０１】
そして、これら３つのＩＤチップは、装着された大面積電子カセット３１１１の水平中心線位置５６３７，５６３８，５７３７，５７３８も定義することができる。大面積電子カセット３１１１は、撮影目的によって、ブッキートレー５１００への垂直装着（図８の（ａ）、（ｂ））と水平装着（図８の（ｃ））とに区別される。装着形態にしたがって、ブッキートレーの水平中心線位置５６３７，５６３８，５７３７，５７３８と電子カセットの水平中心線３０４１ｈ，３０４２ｈとの一致は変更される。電子カセットがブッキートレーに垂直装着される時は、電子カセットの上端ＩＤチップ３０６１と下端ＩＤチップ３０６３がＩＤチップリーダ機５０６１に対応し、この対応は、Ｘ線発生及びブッキー制御部１２１に伝達され、Ｘ線発生及びブッキー制御部は、ブッキートレー５１００の位置表示器で電子カセット用の３番目の目盛り５６３８，５７３８を表示させる。これは、電子カセットの水平中心線３０４２ｈが、ブッキートレー５１００の位置表示器で電子カセット用の３番目の目盛り５６３８，５７３８と一致することを意味する。そして、電子カセットがブッキートレーに水平装着される時は、電子カセットの中間ＩＤチップ３０６１がＩＤチップリーダ機５０６１に対応し、この対応は、Ｘ線発生及びブッキー制御部１２１に伝達され、Ｘ線発生及びブッキー制御部は、ブッキートレー５１００の位置表示器で電子カセット用の２番目の目盛り５６３７，５７３７を表示させる。これは、電子カセットの水平中心線３０４１ｈが、ブッキートレー５１００の位置表示器で電子カセット用の２番目の目盛り５６３７，５７３７と一致することを意味する。また、電子カセット用の２番目の目盛りと電子カセット用の３番目の目盛り表示は、当該ブッキー内に大面積電子カセットが装着されていることを意味する。
【０１０２】
小面積電子カセット３２１１は、１個のＩＤチップを含んでいる。小面積電子カセットは、１０Ｘ１２インチと検出面積が比較的小さく、一側辺には、移動の便利性のための取っ手３２４６が設けられている。
【０１０３】
小面積電子カセットに１個のＩＤチップを含む理由は、小面積電子カセットがブッキー内に装着される形態が、図９に示すように単一の形態と単純であり、ＩＤチップリーダ機に対応するＩＤチップが１個で良いからである。
【０１０４】
図９は、ブッキー内に装着されている小面積電子カセットの水平中心線を、位置表示器の電子カセット用の１番目の目盛り５６３６，５７３６に表示している。これは、ブッキー内に小面積電子カセット装着されたことを意味し、この表示は、装着された小面積電子カセットの水平中心線３２４２ｈと位置表示器の電子カセット用の１番目の目盛り５６３６，５７３６とが一致することを意味する。また、電子カセット用の１番目の目盛りの表示は、ブッキートレーに小面積電子カセットが装着されたことを意味する。
【０１０５】
電子カセットの背面には、電源端子部３０７０，３０８０，３０９０，３２７０が設けられている。電子カセットが無線でワークステーションに接続されると、電源端子部を通じて電源が供給される。図５の（ｂ）に示すように、大面積電子カセット３１１１の背面には、３個の電源端子部３０７０，３０８０，３０９０を含む。これらはＩＤチップ３０６１，３０６２，３０６３の真下に配置する。これは、図８に示す装着状態のいずれにおいても、電源の供給を受けるためである。なお、図６の（ｂ）に示すように、小面積電子カセット３２１１の背面には、１個の電源端子部３２７０を含む。この電源端子部３２７０はＩＤチップ３２６１の真下に配置する。電源端子部３０７０、３０８０、３０９０、３０７０のそれぞれは、電源端子３０７１，３０８１，３０９１，３２７１、グラウンド端子３０７２，３０８２，３０９２，３２７２、センサー端子３０７３，３０８３，３０９３，３２７３で構成されている。
【０１０６】
図１５の（ａ）に示すように、電源端子部の各端子は、電子カセットの背面に凹設されており、これら端子と対応する電源供給部５０７０の各端子は、プラグ５０９１の形態をしており、電子カセットがブッキートレー及び保管装置に正常に装着されると、プラグは電源端子に接触する。センサー３０７３は、電子カセットの電源端子部３０７０がブッキーの電源供給部５０７０と正常に接触したか否か確認し、ブッキートレーは、電子カセットの電源端子３０７１に電源を供給する。電源端子３０７０の構成及び機能は、他の電源端子３０８０，３０９０，３２７０の構成及び機能と同様であり、同じ役割を果たす。
【０１０７】
ブッキー５０１，５２１は、非散乱グリッド（Ｍｏｖｉｎｇ  Ｇｒｉｄ）３２０及びイオンチャンバー（Ｉｏｎ−ｃｈａｍｂｅｒ）３３０が装着されており、その下のブッキートレー５０００は、カセット３１１１，３２１１，４１０，４２０を固定してブッキー内に着脱できる構造、例えば、図８、図９、図１０、図１１、図１２及び図１９に示すような構造となっている。非散乱グリッド３２０は、人体９１０を透過したＸ線から発生した散乱線を除去して画質を向上させ、イオンチャンバー３３０は、透過Ｘ線量を測定する役割を果たし、この測定量はＸ線発生装置に伝達されてＸ線照射量を制御する。
【０１０８】
図７は、電子カセット３１１１，３２１１、映像板カセット４１０，４２０、フィルムカセットを安定して装着し、ブッキーに挿入する役割を果たすブッキートレー５０００を示す図である。ブッキートレー５０００は、カセットが着脱可能な構造となっており、また、カセットのチャンネル及び装着状態を表示する表示部５６００，５７００と、カセットをブッキートレー５０００に安全に固定する固定部５１１０〜５２２２と、電子カセットの電源を供給する電源供給部５０７０と、電子カセットのＩＤチップ３０６１〜３０６３，３２６１を読むＩＤ認識部５０６０と、で構成されている。
【０１０９】
ブッキートレー５０００のチャンネル及び装着状態を表す表示部５６００，５７００は、装着されているカセットの種類（大面積電子カセット、小面積電子カセット、映像板カセット、フィルムカセット）、電子カセットの連結チャンネルとその準備状態、装着状態（垂直、水平装着）、ブッキートレーのブッキー挿入状態などを表示する。
【０１１０】
表示部５６００，５７００のチャンネル表示器５６３９，５７３９は、装着されているカセットの種類及びチャンネルを表示する。カセットがブッキートレー５０００に装着され、該ブッキートレーがブッキーに挿入されると、図１３に示すように、ブッキートレーに装着されているカセットの種類及びチャンネルを確認できなくなる。これを確認するために、チャンネル表示器５６３９，５７３９は、電子カセットがブッキートレーに装着されると、該装着された電子カセット３１１１，３２１１のチャンネル表示器３０４５，３２４５の表示をブッキートレーチャンネル表示器５６３９，５７３９にそのまま表示し、映像板カセットが装着されると、チャンネル表示器５６３９，５７３９は消灯する。
【０１１１】
表示部５６３０，５７３０の位置表示器５６３１〜５６３８、５７３１〜５７３８は、装着されているカセットの水平中心線３０４１ｈ，３０４２ｈ，３２４２ｈ，４１２ｈ，４２１ｈと装着状態を、例えば、図８、図９、図１０のように表示する。この位置表示器は、電子カセットの水平中心線３０４１ｈ，３０４２ｈ，３２４２ｈを案内する電子カセット水平中心線表示器（以下、電水平線表示器と称する。）と、映像板カセットの水平中心線４１２ｈ，４２１ｈを案内する映像板カセット水平中心線表示器（以下、映水平線表示器と称する。）とに区別される。電水平線表示器５６３６〜５６３８，５７３６〜５７３８は緑色で表示し、映水平線表示器５６３１〜５６３５，５７３１〜５７３５は黄色で表示することで、電子カセットと映像板カセットとの区別を容易にさせる。
【０１１２】
カセットがブッキートレー５０００に装着され、該ブッキートレーがブッキーに挿入されると、図１２に示すように、ブッキートレーに装着されているカセットの水平中心線と装着状態を確認することができない。
【０１１３】
そこで、位置表示器５６３１〜５６３８，５７３１〜５７３８は、電子カセットがブッキートレー５０００に装着されると、ブッキートレーに装着された電子カセット３１１１，３２１１の装着状態を、電子カセットの背面に設けられているＩＤチップ３０６１，３０６２，３０６３，３２６１を、電子カセット装着状態にしたがってブッキートレーに配置されるＩＤチップリーダ機で読んで把握し、電子カセットの装着状態に応じてその水平中心線案内を電水平線表示器５６３６〜５６３８，５７３６〜５７３８に表す。図８及び図９は、装着状態に従ってその水平中心線を電水平線表示器に表した実施例である。大面積電子カセット３１１１がブッキートレーに垂直装着された時（図８の（ａ）及び図８の（ｂ））、電水平線の３番目の表示器５６３８，５７３８に点滅で表示し、ブッキートレーがブッキーに正常に挿入完了すると、当該表示器を点灯で表示する。電子カセットがブッキートレーに水平装着された時（図８の（ｃ））、電水平線の２番目の表示器５６３７，５７３７に点滅で表示し、該ブッキートレーがブッキーに正常に挿入完了すると、当該表示器は点灯で表示する。図９は、小面積電子カセットがブッキートレー５０００に装着された時、電水平線の１番目の表示器５６３６，５７３６が点滅で表示し、該ブッキートレーがブッキーに正常に挿入完了すると、当該表示器は点灯で表示する。
【０１１４】
図１２の（ａ）は、電子カセットがブッキーに装着された様子を示す図である。この水平線の２番目の表示器５６３７，５７３７が点灯しているので、該ブッキーには移動平板検出器が水平装着されていることがわかる。
【０１１５】
映像板カセットがブッキートレー５０００に装着されると、該ブッキートレーは、装着された映像板カセットの装着状態を移動支持固定装置５２５０の位置を通じて把握し、位置表示器において映像板カセットの水平中心線４１２ｈ，４２１ｈに合う位置を映水平線表示器５６３１〜５６３５，５７３１〜５７３５に表す。移動支持固定装置が、８インチ位置５５３１に在ると映水平線の１番目の表示器５６３１，５７３１に対応し、１０インチ位置５５３２に在ると映水平線の２番目の表示器５６３２，５７３２に対応し、１２インチ位置５５３３に在ると映水平線の３番目の表示器５６３３，５７３３に対応し、１４インチ位置５５３４に在ると映水平線の４番目の表示器５６３４，５７３４に対応し、１７インチ位置５５３５に在ると映水平線の５番目の表示器５６３５，５７３５に対応する。
【０１１６】
映像板カセットの種類は、映像板カセットの大きさによって区別し、８×１０インチ、１０×１２インチ、１４×１４インチ、１４×１７インチがある。映像板カセットに装着された映像板はＸ線を受けると潜像を有することになり、この潜像を持っている映像板は、映像板リーダ機で潜像を読んでから消去して再び使用する。したがって、映像板カセットは検査の度にブッキートレーに着脱を反復し、この着脱の反復によってユーザは映像板カセットの装着状態を随時確認することができる。一方、水平中心線は、装着されるカセットの種類によってその位置が変更されるので、映水平線表示器を通じてその位置を表示する。
【０１１７】
図１０は、映像板カセットがブッキートレーに装着された状態表示を示す実施例である。１４×１４インチの映像板カセット４１０がブッキートレーに装着された時（図１０の（ａ））、映水平線の４番目の表示器５６３４，５７３４が点滅し、該ブッキートレーがブッキーに正常に挿入完了すると、表示器は点灯で表示される。１０×１２インチの映像板カセット４２０がブッキートレーに装着された時（図１０の（ｂ））、映水平線の３番目の表示器５６３４，５７３４が点滅し、該ブッキートレーがブッキーに正常に挿入完了すると、表示器は点灯で表示される。
【０１１８】
図１２の（ｂ）は、映像板カセットがブッキーに装着された状態表示を示す図である。映水平線の３番目の表示器５６３３，５７３３が黄色で点灯するので、該ブッキーには１０×１２インチの映像板カセットが装着されていることがわかる。
【０１１９】
ブッキートレー５０００の固定部５１１０〜５１６０，５２０５〜５２６０は、カセットをブッキートレーに中央に安全で堅固に固定し、その固定状態をブッキーの位置表示部とＸ線発生制御及びブッキー制御部に伝達する役目と、ユーザの不注意によるカセット脱離を防止する役目を果たす。
【０１２０】
Ｘ線検査をブッキーで実行する時（図１２）、ブッキー５０１の垂直中心線５５１とブッキートレーに装着された検出器の垂直中心線３０４１ｖ，３０４２ｖ，３２４１ｖ，４１１ｖ，４２１ｖは常に一致する状態で固定していなければならない。ユーザは、常に、ブッキー５０１の垂直中心線５５１を基準に患者の位置を設定して検査を実行する。もし、カセットの垂直中心線とブッキーの垂直中心線５５１とが一致していないと、獲得された映像の垂直中心線は片方に偏る現象が発生し、診断的に価値のない映像を得ることになり、誤りとなってしまう。
【０１２１】
ブッキートレーの固定部は、カセットをブッキーの中心に安定で堅固に固定する役割を果たす。ブッキートレーの固定部は、主に、移動型固定装置５２１０，５２２０、移動支持型固定装置５２５０、固定型固定装置５１５１〜５１５６及び安全固定装置５１１０，５１２０で構成されている。
【０１２２】
固定型固定装置５１５１〜５１５６は、大面積電子カセット３１１１の安定した装着を導くガイドレールの役割を果たす。図８は、大面積電子カセット３１１１をブッキートレー５０００に装着する過程を示している。下段固定体５１５３，５１５６は、大面積電子カセットが垂直に上から下に装着される時にガイドレールの役割を果たし、上段固定体５１５１，５１５４は、大面積電子カセットが水平に上から下に装着される時にガイドレールの役割を果たし、中間固定体５１５２，５１５５は、大面積電子カセットが水平に上から下に装着される時に支持及び固定する役割を果たす（図８の（ｃ））。これら固定体が大面積電子カセットと接触する表面は、滑らかで摩耗しない材質からなっている。そして、ブッキートレー５０００の上段固定体５１５１，５１５４と下段固定体５１５３，５１５６は、電子カセット枠の形状に応じて屈曲する突出部５１３１，５１６１を含んでおり（図１３の（ｃ））、よって、大面積電子カセットがブッキートレーに一応装着されると、該大面積電子カセットを下から上に持ち上げない限り脱離されない。したがって、ユーザの不注意によって大面積電子カセットがスタンドブッキーのブッキートレーから脱離して落下破損することを防止することができる。
【０１２３】
移動支持型固定装置５２５０は、電子カセットまたは映像板カセットの下部を支持する。移動支持型固定装置５２５０は、小面積電子カセットを電水平線５６３３，５７３３の位置に一致させ、該小面積電子カセットの固定溝３２５１，３２５２に移動固定体５２１０、５２２０がよくかみ合うように位置合わせ及び位置付けをする役割を果たす。そして、映像板カセットを映水平線位置に一致させて固定する役割とその位置を表示部に伝達する役割を果たす。
【０１２４】
安全固定装置５１１０，５１２０は、安全輪５２１１を含んでおり、ブッキートレーに装着された検出器がユーザの不注意により脱離されることを防止する。そして、固定センサー５２１５を含んでおり、移動型固定装置５２００に動作信号を伝達する。この安全固定装置５１１０は、安全輪体５１１１、固定センサー５１１５、安全固定突起５１１２、固定ピン５１１３で構成されている。
【０１２５】
ブッキートレー５０００に検出器が装着されると、安全固定装置５１１０，５１２０は、図１５(ａ)及び図１５(ｂ)に示すように、固定ピン５１１２は、安全輪体５１１１をブッキートレーに固定して開閉可能にし、安全輪体の先端に安全固定突起５１１２が形成されており、カセットが閉じた状態で容易に離脱しないようにし、安全輪体の固定ピンの方向には固定センサー５１１５が取り付けられており、この固定センサーは、カセット３１１１，４１０がブッキートレーに装着されると、その装着状態を把握し、その情報を移動型固定装置５２００に伝達する。安全固定装置が閉じる時、安全固定装置は、ブッキートレーに装着されたカセット３１１１，４１０の上端に引っ掛かり、安全固定装置の固定センサーは、当該カセットと安全固定装置との間で一定の圧力以上を受けると、ブッキートレーにカセットが装着されたことを認識し、移動型固定装置５２００に駆動命令を伝達して当該カセットを固定させる。そして、移動型固定装置がカセットを固定している状態で安全固定装置に再び一定圧力以上が与えられると、該移動型固定装置に駆動命令を伝達してカセット固定を解除させる。
【０１２６】
移動型固定装置５２００は、ブッキートレー５０００に装着されるカセットをブッキーの中央線５５１に一致させて堅固で安全に固定する役割を果たし、取っ手付きの電子カセットを固定するために、移動型固定装置はブッキートレーの上段に位置する。移動型固定装置５２００は、１個の駆動モーター５２０５と２個の移動固定体５２１０，５２２０、２つの固定レール５２１１，５２２１、２つの移動固定軸５２１２，５２２２で構成されている。移動固定体５２１０，５２２０は、移動固定支持台５２１３、移動固定取っ手５２１４、移動固定突起５２１５で構成されている。
【０１２７】
移動型固定装置５２２０は、安全固定装置５１１０，５１２０の固定センサー５２１５が作動すると、移動型固定装置の駆動モーター５２０５に駆動命令が伝達されて、該駆動モーターは時計回り方向に駆動して、２つの移動固定軸５２１２，５２２２を互いに中心方向に駆動させ、これら移動固定軸は、移動固定体５２１０，５２２０をブッキートレーの中央へ移動させ、移動固定体の固定突起５２１５はカセットを固定する。特に、電子カセットの場合、固定突起５２１５は電子カセット固定溝３０５１〜３０５６，３２５１〜３２５２にかみ合って堅固で安全に固定する。そして、固定体５２１０，５２２０の装着センサー５２１６はそれぞれ、固定体とカセットとがかみ合う周辺に位置し、移動固定体５２１０，５２２０の装着センサーの両方が感知されると、これはカセットがブッキーの中央に正確に装着されたということを意味するので、この装着された状態を、Ｘ線発生及びブッキー制御部１２１に伝達し、位置表示器５６３１〜５６３８，５７３１〜５７３８を点灯することで、その装着準備を完了する。
【０１２８】
移動固定体５２１０，５２２０は、ブッキートレーの中心を基準に同一の距離を移動するので、装着されたカセットの垂直中心線３０４１ｖ，３０４２ｖ，３２４１ｖ，４１１ｖ，４２１ｖがブッキー５００の中心線５５１と常に一致し、もし、一致しないと、上記の両装着センサーは感知されず、装着状態が位置表示器５６３１〜５６３８，５７３１〜５７３８に点灯で表示されない。
【０１２９】
そして、カセットが移動型固定体５２１０，５２２０に固定されて該固定体の固定センサー５２１６が感知されている状態で、安全固定装置５１１０，５１２０に再び一定の圧力を与えると、固定センサー５１１５は、検出器の装着状態を把握し、移動固定装置５２００に駆動信号を伝達し、この駆動信号は移動固定装置のモーター５２０５を反時計回り方向に作動させて、移動型固定体５２１０，５２２０を外側の方向に移動させ、当該カセット固定を解除する。この時、安全固定装置はカセットを固定しているため、カセットがユーザの不注意でブッキートレー５０００から離脱して破損することを防止することができる。
【０１３０】
ブッキートレー５０００のＩＤチップリーダ機５０６１は、ブッキートレーの中央上段に配置され、装着センサー５２１６がカセットの正常な装着状態をＸ線発生及びブッキー制御部１２１に伝達すると、ＩＤチップリーダ機は電子カセットのＩＤチップ３０６１，３０６２，３０６３，３２６１の固有番号を読み取り、該電子カセットの固有番号をＸ線発生及びブッキー制御部１２１に伝達する（図１６の（ａ））。このＸ線発生及びブッキー制御部１２１は、当該固有番号を応用プログラム提供部１１１及び通信及び映像獲得部１３１に伝達する。そして、応用プログラム提供部は、前処理部に当該固有番号を伝達し、前処理部は、当該固有番号に合う前処理ファイルを検索し、映像が獲得される時に適用できるように準備する。そして、応用プログラム提供部１１１は、ブッキーに装着されている電子カセットのチャンネル情報を、通信及び映像獲得部１３１に要請してチャンネル情報を受け取り、該チャンネル情報をＸ線発生及びブッキー制御部に伝達し、このＸ線発生及びブッキー制御部は、ブッキーチャンネル表示部にチャンネル情報を表示する。もし、ＩＤチップが読み取られていないと、Ｘ線発生及びブッキー制御部１２１は、映像板カセット及びフィルムカセットが装着されたものと判断する（図１５の（ｂ））。
【０１３１】
ブッキートレー５０００の電源供給部５０７０は、装着された電子カセット３１１１，３２１１が無線で接続される場合、該ブッキートレーに電源を供給する。
【０１３２】
電源供給部５０７０は、ブッキートレーの中央上段に位置し、電源供給ピン５０７１、グラウンドピン５０７２、センサーピン５０７３からなっている。無線で接続された電子カセットがブッキートレーに装着されると、センサーピン５０７３は、図１５の（ａ）に示すように、電子カセット３１１１のセンサー端子３０７２に接触し、この接触状態が正常であれば、電源供給ピンを通じて電子カセットに電源を供給する。もし、センサーフィンが電子カセットのセンサー端子と接触していないと、電子カセットがブッキートレーに正常に装着されていなと判断して電源供給を遮断し、Ｘ線発生及びブッキー制御部１２１を介して装着状態確認を要請するメッセージを応用プログラム提供部に要請する。接点式電源供給方式の代わりに、無接点式電源供給方式を用いることもできる。
【０１３３】
図１６は、大面積電子カセット装着による自動方向補正を示す図である。本発明のブッキー５０００は、大面積電子カセット３１１１を両方向から着脱することができる。電子カセットは３つの装着形態７１２，７１３，７１４を有することができる。大面積電子カセット３１１１が正方向７１１，７１２に映像を獲得すると正常な映像７２１，７２２が得られる。しかし、逆方向７１４、水平方向７１３に大面積電子カセットを装着すると、９０゜回転した映像７２３と１８０゜回転した映像７２４が得られる。この場合、大面積電子カセットがブッキーに装着されていてその装着状態が容易に把握できない状態で、獲得された映像の左・右方向をユーザが認識できないと、映像の方向性を失ってしまい、映像の左右を混同する場合がありうる。もし、誤った方向に映像に表記し、該映像を読み取ると、映像の診断に過大な誤りが生じることになる。したがって、電子カセットの装着状態に従って映像の方向を自動で補正すると、上記のような誤りを防止することができる。
【０１３４】
映像の自動方向補正のためには、電子カセットの装着状態を把握する必要がある。電子式ＩＤチップ３０６１，３０６２，３０６３は電子カセットの背面に配置され、これらＩＤチップによって、電子カセットがブッキーに装着されている状態を把握することができる。電子カセットが逆方向に装着（７１４）されると、電子式ＩＤチップ３０６１がＩＤチップリーダ機５０６１に読み取られ、獲得された映像７２４は１８０゜回転されて正確な映像７３０が自動で得られ、水平方向に装着（７１３）されると、電子式ＩＤチップ３０６２がＩＤチップリーダ機５０６１に読み取られ、獲得された映像７２３は９０゜回転されて正確な映像７３０が自動で得られる。
【０１３５】
応用プログラム提供部１１０で電子カセットの装着状態を把握し、獲得された映像が自動で９０゜または１８０゜回転された映像が獲得されると、ユーザにとっては、検査した方向と映像の方向が常に一致して現れるので、方向混同を避けると同時に迅速な業務処理ができる。
【０１３６】
図１７は、本発明によって電子カセット３１１１，３２１１をブッキートレーに装着した斜視図である。テーブルブッキー５２１内のブッキートレー５１０１には、小面積電子カセット３２１１を装着し、スタンドブッキー内のブッキートレー５１００には大面積電子カセット３１１１を装着した。これら電子カセットはワークステーション１０１と無線１３１７，１３１８または有線１３１５，１３１６で接続されており、ワークステーションから電子カセットを制御することができる。電子カセットは、ブッキートレーに着脱自在であり、大面積と小面積とに区別されているため、ブッキーを用いた撮影の他、固定型平板検出器で自由に位置移動できないテーブル上での検査、及び急病患者や重患者のベッド上での検査にも、当該電子カセットを用いたデジタルＸ線発生装置を容易に使用することができる。
【０１３７】
本発明は、以上の特定の実施例に限定されるものではなく、請求の範囲で請求する本発明の要旨を逸脱しない限度内で、当該発明の属する技術分野における通常の知識を有する者にとっては、様々な変形実施が可能であるということは明らかであり、それらの変更はいずれも、請求の範囲に記載の範囲内に含まれる。
【図１】
2011521704.tif 000003
【図２】
2011521704.tif 000004
【図３】
2011521704.tif 000005
【図４】
2011521704.tif 000006
【図５（ａ）】
2011521704.tif 000007
【図５（ｂ）】
2011521704.tif 000008
【図６（ａ）】
2011521704.tif 000009
【図６（ｂ）】
2011521704.tif 000010
【図７】
2011521704.tif 000011
【図８（ａ）】
2011521704.tif 000012
【図８（ｂ）】
2011521704.tif 000013
【図８（ｃ）】
2011521704.tif 000014
【図９】
2011521704.tif 000015
【図１０（ａ）】
2011521704.tif 000016
【図１０（ｂ）】
2011521704.tif 000017
【図１１（ａ）】
2011521704.tif 000018
【図１１（ｂ）】
2011521704.tif 000019
【図１２（ａ）】
2011521704.tif 000020
【図１２（ｂ）】
2011521704.tif 000021
【図１３（ａ）】
2011521704.tif 000022
【図１３（ｂ）】
2011521704.tif 000023
【図１３（ｃ）】
2011521704.tif 000024
【図１４（ａ）】
2011521704.tif 000025
【図１４（ｂ）】
2011521704.tif 000026
【図１５（ａ）】
2011521704.tif 000027
【図１５（ｂ）】
2011521704.tif 000028
【図１６】
2011521704.tif 000029
【図１７】
2011521704.tif 000030
【図１８】
2011521704.tif 000031
【図１９】
2011521704.tif 000032
【国際調査報告】
2011521704.tif 000033
2011521704.tif 000034
2011521704.tif 000035
2011521704.tif 000036